(57)【要約】【課題】  建物の壁面等の駆体に確実強固に固定でき、しかも、隣設の石材との面一に設置することができる石材を提供する。【解決手段】  石材本体２と、その一面に固着の取付金具３とより成る石材１において、前記取付金具３は、石材接合部５と壁面取付部６とに分けられる。この壁面取付部６は、前記石材接合部５より所定寸法が後退されている。前記石材接合部５と壁面取付部６の連結部７は、該石材接合部５と壁面取付部６に対して直角に折曲されている。【選択図】        図２
2006077488.tif 000002
【特許請求の範囲】
【請求項１】
石材本体と、その一面に固着の取付金具とより成る石材において、
前記取付金具は、石材接合部と壁面取付部とに分けられ、前記壁面取付部が前記石材接合部より所定の寸法を持って後退されると共に、この石材接合部と壁面取付部の連結部は、該石材接合部と壁面取付部に対して直角に折曲されたことを特徴とする石材。
【請求項２】
石材本体と、その一面に固着の取付金具とより成る石材において、
前記取付金具は、石材接合部と壁面取付部とに分けられ、前記壁面取付部が前記石材接合部より所定の寸法を持って後退され、この石材接合部と壁面取付部の連結部は、該石材接合部と壁面取付部に対して直角に折曲されると共に、前記石材接合部に保持穴を形成し、この保持穴に前記石材本体を前記取付金具の石材接合部に接着する接着剤が流し込まれて固化され、また前記壁面取付部に取付穴が形成されたことを特徴とする石材。
【請求項３】
前記石材本体は裏面側に軽量構造体を接着して構成されていることを特徴とする請求項１又は２記載の石材。
【発明の詳細な説明】
【技術分野】
【０００１】
この発明は、建築物の外壁などの駆体に取付られる石材に関するものである。
【背景技術】
【０００２】
近年、建築物特に住宅にも外壁材として石材が用いられてきている。例えば特許文献１に示すように、予め建築物の外壁などの駆体に取付金具１をビス１１にて固定し、しかる後に、外壁材３の溝部１２，１２ａ，１２ｂに前記取付金具１の係止片部７とストッパ８とで嵌合し挾持させ、外装材３をガタつきなく確実に躯体へ取付けることができる例が示されている。
【特許文献１】実開２０００−１９９３２５
【０００３】
また、特許文献２に示すように、所定の形状の壁板保持金具を用い、上下側の嵌合片６，７に壁板２を嵌合させて支える構成で、傾斜立上部４の釘打ち用穴５を介して釘打ちし、壁板及び金具の浮き上りを防止できるようにしている例が示されている。
【特許文献２】特開２０００−５４５９５
【発明の開示】
【発明が解決しようとする課題】
【０００４】
前記した公知例では、取付金具１又は壁板保持金具を用いて、壁板（石材）を取付けている。特許文献１では、予め建物の駆体に固定してから石材を取付け、特許文献２では、壁板を壁板保持金具により係止しつつ、釘打ちして壁面に取付けているものである。即ち、公知例は共に、石材からは別体で、所定の複雑な形状の取付金具を用いなければならない。しかも取付られる石材とは、係止手段にて固定されているので、衝撃などの力により変形し、一部が凹んで、石材の面一の形成に不利益となっていたし、また最悪の場合には、脱落する不都合が発生していた。
【０００５】
そこで、この発明は、建物の壁面等の駆体に確実に且つ強固に固定でき、しかも隣設の石材と面一に設置することができる石材を提供するものである。
【課題を解決するための手段】
【０００６】
この発明に係る石材は、石材本体と、その一面に固着の取付金具とより成る石材において、前記取付金具は、石材接合部と壁面取付部とに分けられ、前記壁面取付部が前記石材接合部より所定の寸法を持って後退されると共に、この石材接合部と壁面取付部の連結部は、該石材接合部と壁面取付部に対して直角に折曲されたことにある（請求項１）。このように、取付金具の石材接合部に対する壁面取付部が、所定寸法後退し且つ前記石材接合部と壁面取付部との連結部が前記両部材と直角に形成されているから、既に取付られた石材の壁面取付部上に石材が重ねて設置されていも、建物の駆体にねじ込まれたビスの頭が干渉せず、隣設の石材と面一に設置することができる。開発の段階で、石材接合部と壁面取付部との連結部が斜めに形成した例も考えたが、隣設の石材との隙間が取れない部位も生じ、隙間に石粉などが入った場合には、出っ張ることになり、面一形成できなくなる不都合が生じていた。
【０００７】
また、この発明に係る石材は、石材本体と、その一面に固着の取付金具とより成る石材において、前記取付金具は、石材接合部と壁面取付部とに分けられ、前記壁面取付部が前記石材接合部より所定の寸法を持って後退され、この石材接合部と壁面取付部の連結部は、該石材接合部と壁面取付部に対して直角に折曲されると共に、前記石材接合部に保持穴を形成し、この保持穴に前記石材本体を前記取付金具の石材接合部に接着する接着剤が流れ込まれて固化され、また前記壁面取付部に取付穴が形成されたことにある（請求項２）。これにより、前記請求項１の発明と同一の作用効果を有すると共に、加えて前記石材接合部の保持穴とこれに流し込まれた接着材にて当該接着材と保持穴とが係合して支えることができ、取付金具と石材とが強固に結合される。
【０００８】
前記した発明の前記石材本体は、裏面側に軽量構造体が接着して構成しても良く、石材自体を軽量化できるものである。
【発明の効果】
【０００９】
以上のように、この発明によれば、既に取付られた石材の壁面取付部上に石材を重ねても、建物の駆体にねじ込まれたビスの頭が干渉せず、隣設の石材と面一に設置することができる。請求項２の発明では、これに加えて、石材本体と取付金具との接合が接着剤のみならず、接着剤が石材接合部の保持穴と係合するように流し込まれているから、強固の結合となるものである。
【発明を実施するための最良の形態】
【００１０】
以下、実施例を図面にもとづいて説明する。
【実施例１】
【００１１】
図１乃至図９において、第１番目の実施例が示され、石材１は、石材本体２とその一面に接着の取付金具３とより成っており、石材本体２は、自然石や人工石で所定の大きさに切断されている。取付金具３は、アルミニウムを主材料の金属板で、石材接合部５と壁面取付部６とより成り、壁面取付部６は石材接合部５より所定の寸法後退されている。そして、この石材接合部５と壁面取付部６の連結部７は、該石材接合部５、壁面取付部６に対し直角に折曲されている。
【００１２】
取付金具３の石材接合部５と石材本体２との接着は、両者間に接着剤８を介在すると共に、石材接合部５に形成の保持穴１０に接着剤８が流れ込み、固化後にあって、この保持穴１０内の接着剤の係合作用にて石材本体２を支えることができる。
【００１３】
上述したような構成の石材１を建築物の壁面の駆体１２に取付けるには、図２，図３に示すように、まず石材１の取付金具３の石材接合部５の反石材側と駆体１２との間に接着剤を介在し、しかる後に、壁面取付部６を駆体１２に接触させ、ビス１４を取付穴１５を介して駆体１２にねじ込むことで完了する。
【００１４】
次に、壁面の駆体１２に取付られた石材１に続けて上方に新たなる石材を組付けるには、既に設けられた石材１の石材本体２の上方に接触するように新たなる石材１を配置し、壁面取付部６をビス１４にて建物の駆体１２固定する。その際石材本体２を押圧して面一に修正する。修正は接着剤が固化前であるから可能である。
【００１５】
なお、前記取付金具１の石材接合部と壁面取付部の連結部７は、両者に対し、直角に形成されているので、隣設の石材本体２が重ねられても、壁面取付部６及びビス１４があっても充分に隙間に余裕があり、重ねられる石材本体２を突出させることにはならず、面一に形成できる。もし、壁面取付部６が石材接合部５の延長上にあれば、隙間なく取付用のビスに当たり、石材１を面一に整えることは出来ない。また連結部７を斜めに形成しても、隙間が取れない所も生じて、石粉などが入った場合には、出っ張ることになり、石材１の面一形成ができない。
【実施例２】
【００１６】
図１０において、この発明の第２の実施例が示されている。この例では、石材本体２が表面の石材部２ａと裏面の軽量構造体２ｂとより成り、取付金具３の石材接合部５との接合がリベット１７とより行われている。この第２の実施例にあっては、石材１の軽量化を目的とし、取付金具３が軽量構造体２ｂにリベット１７により固着されている。その他の部分は前述した実施例１と同一である。前記軽量構造体２ｂは、アルミニウムの薄いフィルムを六角形状にした六角体を多数集め、そのフィルムの前後に樹脂板１９を配し、接着剤にて固められている。
【図面の簡単な説明】
【００１７】
【図１】この発明に係る石材の斜視図である。
【図２】同上の石材を壁面等の駆体に取付けた状態の説明図である。
【図３】同上の一部拡大図である。
【図４】石材の平面図である。
【図５】石材の背面図である。
【図６】石材の平面図である。
【図７】石材の底面図である。
【図８】石材の右側面図である。
【図９】石材の断面図である。
【図１０】この発明の石材の第２の実施例を示す側面図である。
【符号の説明】
【００１８】
１  石材
２  石材本体
２ａ  石材部
２ｂ  軽量構造体
３  取付金具
５  石材接合部
６  壁面取付部
８  接着剤
１０  保持穴
１２  駆体
１４  ビス
１５  取付穴
【図１】
2006077488.tif 000003
【図２】
2006077488.tif 000004
【図３】
2006077488.tif 000005
【図４】
2006077488.tif 000006
【図５】
2006077488.tif 000007
【図６】
2006077488.tif 000008
【図７】
2006077488.tif 000009
【図８】
2006077488.tif 000010
【図９】
2006077488.tif 000011
【図１０】
2006077488.tif 000012